(57)【要約】      （修正有）【課題】食品加工業のための機械に使用するための表示設備を提供する。【解決手段】食品加工において使用される機械の洗浄時に化学的および機械的な負荷に耐えることができるようにするために、標識板１０は、第１色の上側の第１プラスチック層１１と、第１プラスチック層の下方に位置する第２色の少なくとも１つの第２プラスチック層１２と、を備える。文字またはシンボルを表すために、下側の第２プラスチック層まで達する凹部１３を上側の第１プラスチック層に材料除去によって設ける。【選択図】図１
2019148811.tif 000002
【特許請求の範囲】
【請求項１】
食品加工業用の機械で使用するための標識板であって、
第１色の上側の第１プラスチック層と、前記第１プラスチック層の下方に位置する第２色の少なくとも１つの第２プラスチック層と
を備え、
文字またはシンボルを表すために、前記下側の第２プラスチック層まで、または、該下側の第２プラスチック層内まで達する凹部が、材料除去によって前記上側の第１プラスチック層に設けられた
標識板。
【請求項２】
請求項１に記載の標識板であって、
前記第１プラスチック層と前記第２プラスチック層とは、互いに直接的に隣接している
標識板。
【請求項３】
請求項１または請求項２に記載の標識板であって、
前記第１プラスチック層と前記第２プラスチック層とは、熱により互いに結合されている
標識板。
【請求項４】
請求項１ないし請求項３のいずれか一項に記載の標識板であって、
前記凹部は、前記第１プラスチック層を貫通して、前記第２プラスチック層内にまで達している
標識板。
【請求項５】
請求項３または請求項４に記載の標識板であって、
前記第１プラスチック層と前記第２プラスチック層は、食品接触材料として許可されているプラスチックから形成されている
標識板。
【請求項６】
請求項４または請求項５に記載の標識板であって、
前記第１プラスチック層および前記第２プラスチック層のうちの少なくとも一方は、ポリエステル（ＰＥ）から形成されている
標識板。
【請求項７】
請求項１ないし請求項６のいずれか一項に記載の標識板であって、
前記上側の第１プラスチック層の前記凹部は、切削による材料除去によって作製された
標識板。
【請求項８】
請求項１ないし請求項７のいずれか一項に記載の標識板であって、
前記第１プラスチック層および前記第２プラスチック層に加えて、１つ以上の他のプラスチック層が設けられており、
前記他のプラスチック層の色は、前記第１プラスチック層および前記第２プラスチック層の色とは異なり、
文字またはシンボルを表すための前記凹部は、前記他のプラスチック層まで達している
標識板。
【請求項９】
請求項１ないし請求項８のいずれか一項に記載の標識板であって、
前記凹部は、少なくとも部分的に前記第１プラスチック層および前記第２プラスチック層を貫通して、前記他のプラスチック層内に達している
標識板。
【請求項１０】
第１色の上側の第１プラスチック層と、該第１プラスチック層の下方に位置する第２色の少なくとも１つの第２プラスチック層と、を備える請求項１に記載の標識板を製造する方法であって、
文字またはシンボルを作製するために、材料除去によって、前記第１プラスチック層を貫通して少なくとも前記第２プラスチック層まで達する凹部を前記第１プラスチック層に設ける工程を備える
方法。
【請求項１１】
請求項１０に記載の方法であって、
前記凹部を設ける前に、ブランクを製造するために、第１色を有する前記第１プラスチック層と、第２色を有する前記第２プラスチック層と、を熱によって接合することによって互いに結合する工程を備える
方法。
【請求項１２】
請求項１０または請求項１１に記載の方法であって、
前記第１プラスチック層および前記第２プラスチック層に加えて、少なくとも１つの他のプラスチック層を前記第２プラスチック層に結合する工程を備える
方法。
【請求項１３】
請求項１１または請求項１２に記載の方法であって、
ロールのテープ材料またはストリップ材料として、前記第１プラスチック層および前記第２プラスチック層を、熱の作用により平面的に互いに接合する工程を備える
方法。
【請求項１４】
請求項１０ないし請求項１２のいずれか一項に記載の方法であって、
前記第１プラスチック層と前記第２プラスチック層とを熱により結合するために、少なくとも１つのプラスチック層を型内に散布し、次いで、熱および圧力の作用によって他のプラスチック層と共に焼成する工程を備える
方法。
【発明の詳細な説明】
【技術分野】
【０００１】
本発明は、食品加工業において機械のすぐ近くで使用するための標識板、および、そのような標識板を製造する方法に関する。
【背景技術】
【０００２】
標識板は、作業場全般における安全および健康保護標識として知られている。標識板は、特に禁止標識、規則標識、警告標識、救助標識、火災防止標識、または、単に指示標識として構成されていてもよい。
【０００３】
考えられる危険または機械操作の特定の側面について使用者に注意を促すために、様々な種類の機械に標識板が設けられる。
【０００４】
一般に、このような標識板は、フィルムステッカーとして構成されるか、または、ラッカー塗装もしくは印刷を施したプレート状の支持体が使用され、これらの支持体は種々異なる形式で機械に固定される。
【０００５】
しかしながら、食品加工業で使用される機械の場合、市販の標識板の使用が問題となる特殊な事情が生じる。
【０００６】
飲料水との適合性を含めて、使用される材料と食品との適合性が求められるという背景がある。すなわち、使用される材料は、食品接触材料として許可されていることが望ましい。
【０００７】
このために、例えば家庭で使用される機器とは異なり、食品加工業で使用される機械は、厳しい規則にしたがって定期的に洗浄する必要がある。この場合に使用される洗浄剤は、極めてアグレッシブな場合が稀ではなく、国毎に、その国で有効な規則に応じて様々な希釈レベルで使用される。さらに、例えばブラシまたは高圧洗浄機による洗浄時には、機械表面および場合によっては機械表面に取り付けられた標識板にも機械的に強い負荷が加えられる。したがって、標識板のために使用される材料は、このような条件下においても食品加工機械で使用するために適している必要があり、例えば、腐食してはならず、亀裂または破断傾向を示したり、溶解したりしてはならない。
【０００８】
市販の標識板の試験は、標識板が、定期的な洗浄工程に関連した化学的および機械的な負荷に対して損傷を受けずに持続的に耐えられないことを示した。フィルムステッカー（ステンレス鋼支持体薄板に貼り付けられている）の他に、ステンレス鋼からなり、ラッカー塗装を施した絵文字、および、その上に位置する保護ラッカーコーティング（それぞれ酸化防止表示のあるラッカーを使用した）、ならびにＲｅｓｏｐａｌプレートを備える標識板が試験された。これらの標識板は、数時間にわたって洗浄剤に漬け込まれ、定期的な間隔をおいて高圧洗浄機によって噴射洗浄された。いずれの場合にも、標識板はそれぞれの試験実行後により強度の損傷を示した。絵文字が剥離した（ステッカー）か、化学的な洗浄剤によって処理された後に高圧洗浄機による負荷に耐えられなくなった（ラッカー塗装されたステンレス鋼支持体薄板）か、または、支持体材料が膨れ上がり、絵文字および支持体材料の構成部分が剥離した（Ｒｅｓｏｐａｌプレート）。さらに、亀裂が入りやすいＲｅｓｏｐａｌプレート、ラッカー塗装した薄板、剥離したステッカー残留物は、特に問題となる。なぜなら、破片、剥離したラッカーまたはステッカー残留物は、金属検出器（これは、場合によって生じる金属の異物を発見するために使用される）によって検出されず、最悪の場合には食品加工物に入り込んでしまうからである。
【０００９】
持続的に適切な表示が機械になされていることを確保したい場合には、標識板を定期的に新しくする必要がある。これにより、破損した標識の交換のみならず、機械標識の定期的な監視、および、これに伴うメンテナンスコストが必要となる。
【００１０】
さらに、使用される標識板は、衛生上の観点から、食品加工機械に固定することができるように構成されていることが望ましい。したがって、例えば、定期的に少し剥離される縁部に洗浄剤または食品の残滓が集積してしまうステッカーは、食品加工業で使用される機械に使用するためには適していない。他の種類の標識、すなわち、使用者が簡単に取り付けるとともに洗浄目的で取り外すことができない標識や、機械に取り付けられた状態で機械表面と標識板との間に形成され得る間隙を簡単に洗浄することができる標識についても同じことがいえる。
【発明の概要】
【発明が解決しようとする課題】
【００１１】
したがって、本発明の課題は、上述の負荷に対して気にせずに持続的に耐えることのできる、特に食品加工業のための機械に使用するための表示設備を提供することである。
【課題を解決するための手段】
【００１２】
この課題を解決するために、本発明では、標識板が提供される。この標識板は、第１色の上側の第１プラスチック層と、第１プラスチック層の下方に位置し、同じ素材からなる第２色の少なくとも１つの第２プラスチック層と、を備えている。文字またはシンボルを表すために、材料除去によって、上側の第１プラスチック層に、下側の第２プラスチック層まで達する凹部が設けられている。
【００１３】
この場合、第１および第２プラスチック層は、好ましくは互いに直接的に隣接している。この文脈では、「直接的に」とは、両方の層が、層同士の間に配置される付着促進中間層（例えば付着層）を挿入することなしに、互いに結合されていることを意味する。これにより、アグレッシブな媒体、または、例えば高圧洗浄機の噴流が、層同士の間に浸入して、両方のプラスチック層の結合を損なうことが防止される。
【００１４】
上述のプラスチック層の直接的な結合を達成するために、特に、第１プラスチック層と第２プラスチック層とが熱により互いに結合されていてもよい。適宜なプラスチックを熱および圧力の作用により平面的に接合または溶接し、分子レベルの接合工程において、個々の層の間の境界面においてもはや分離できない結合をもらすことができる。
【００１５】
文字もしくはシンボル、または、標識板において一般的な絵文字を作製するために標識板に設けられる凹部は、好ましくは第１プラスチック層を完全に貫通して延在し、第２プラスチック層内にまで達する。これにより、それぞれの凹部が第１プラスチック層を完全に貫通し、第１プラスチック層の第１色とは異なる第２プラスチック層の第２色が現れることが確保される。この場合、「色」という概念は、純粋な形式で加工された着色されていないプラスチックの「色」（ＰＥの場合には、例えば乳白色）を含めて、それぞれのプラスチック層のそれぞれの色を意味している。特に、個々のプラスチック層は完全に着色されている。
【００１６】
標識板または標識板の個々のプラスチック層のための材料としては、特に、食品接触材料として許可されているプラスチックが考慮される。食品および飲料水と接触した場合の化学的安定性、無害性、および、良好な溶接適合性に基づいて、ポリエステル（ＰＥ）が特に適していることが判明しており、この場合、様々な種類のＰＥ（ＨＤＰＥ，ＬＤＰＥ，ＬＬＤＰＥ，ＰＥ−ＨＭＷなど）を使用することができる。しかしながら、標識板の用
途および製造に適した材料特性を備える他のプラスチックを使用することもできる。好ましくは、全てのプラスチック層は、同じプラスチックまたは同じ種類のプラスチックにより製造される。さらに以下の可能な製造方法の説明から、分子レベルで結合することのできるプラスチック層は、互いに溶接可能なプラスチックから形成されていることが望ましいことが明らかである。
【００１７】
標識板の凹部は、好ましくは切削による材料除去によって、特にフライス加工によって作製される。
【００１８】
凹部の製造は、好ましくは、凹部がまだ設けられていないプラスチック層が互いに結合された後に行われる。これにより、絵文字をなす凹部がプラスチック層の一部分を完全に包囲した場合に、この部分が下方に位置するプラスチック層にまだ付着していないことに起因して製造時に誤って位置決めされてしまうことが回避される。というのも、このような部分は独立した部分として滑ってずれてしまうか、または、なくなってしまうことがあるからである。
【００１９】
標識板は、２つのみのプラスチック層に制限されるものではなく、第３プラスチック層または他のさらなるプラスチック層を備えていてもよい。上側の第１プラスチック層を除いて、全てのプラスチック層は、それぞれ上方に位置するプラスチック層の下面に直接的に結合されていてもよく、それぞれのプラスチック層は、好ましくは異なる色を有する。したがって、標識板は、第１および第２プラスチック層に加えて、１つ以上のさらなるプラスチック層を備え、これらのプラスチック層の色は、第１および第２プラスチック層の色とは異なり、文字またはシンボルを表すための凹部は、さらなるプラスチック層まで達するように構成される。好ましくは、凹部は、これらさらなるのプラスチック層内に達する。
【００２０】
上述の構成およびこの構成に基づく多層および多色の層構造により、２色のみならず、より多くの色を標識板によって表すことが可能である。
【００２１】
第１および第２プラスチック層のみを備える標識板について既に説明した特徴は、３つ以上のプラスチック層を備える標識板についてもあてはまる。
【００２２】
上述の標識板（作業場における安全標識および健康保護標識としての禁止標識、規則標識、警告標識、救助標識、火炎防止標識、または指示標識）を製造する方法では、文字またはシンボルを作製するために材料除去により第１プラスチック層に凹部が設けられ、これらの凹部は、第１プラスチック層を通って少なくとも第２プラスチック層まで達するか、または、第２プラスチック層内にまで達する。
【００２３】
ブランクを製造するためには、凹部を設ける前に、第１色を有する第１プラスチック層と第２色を有する第２プラスチック層とが熱による溶接によって分子レベルで直接的に互いに結合される。上述のように、第１および第２プラスチック層に加えて、第１および第２プラスチック層の色とは異なる色を有する１つ以上のさらなるプラスチック層が設けられていてもよく、文字もしくはシンボルまたは絵文字を表す凹部は、表される色に応じてさらなるプラスチック層まで達するか、または、さらなるプラスチック層内に達する。
【００２４】
好ましくは、第１プラスチック層および第２プラスチック層は、ロールのテープ材料またはストリップ材料として熱および圧力の作用により平面的に互いに接合もしくは溶接され、直接的に互いに隣接するプラスチック層は、境界面において分子レベルで互いに結合される。同様に、押出成形プロセス後に、個々のプラスチック層を、まだ熱い粘塑性状態で、必要に応じてローラなどの補助手段を用いて直接的に互いに結合することも可能であ
る。付着促進層を使用する必要はなくなり、個々の層が互いに分子結合することにより、このようにして製造された標識板は、特に耐摩耗性があり、個々のプラスチック層が互いに分離することなしに、冒頭で述べたテストサイクルに容易に長期間にわたって耐える。
【００２５】
ロール、テープまたはストリップ材料を使用する他に、特に少ない個数または単一品を製造するためには、小さい寸法のプラスチック薄板を互いに結合してもよい。
【００２６】
代替的には、第１プラスチック層が第２プラスチック層の材料によってインモールド成形され、必要に応じて、第２プラスチック層がさらなるプラスチック層の材料によってインモールド成形されてもよい。これにより、個々の層の互いに分離不能な結合がもたらされる。
【００２７】
別の可能性は、第１プラスチック層のための第１色の第１プラスチックを、注ぎ込み可能なペレットまたは粉末の形式で型に注ぎ込み、必要に応じて平滑にならし、次いで第１プラスチック層を形成するプラスチックペレットの上に第２色のプラスチックペレットを注ぎ込み、必要に応じて別の色の別のプラスチックペレットが続き、異なる色のペレット層が熱作用により、好ましくは型打ち機を用いて互いに圧縮され、共に溶融される。個々のプラスチック層の圧縮は層毎に行ってもよい。すなわち、それぞれの層を被覆した後に、型打ち機または類似の工具によって短時間圧縮される。場合によって生じる空気含有物を最小限にするために、溶融は真空下で行ってもよい。このようにして、本発明のために必要な層構造および個々の平面の分子結合を生成することができる。
【００２８】
いずれか１つのプラスチック層のために、あらかじめ製造された既存のプラスチックプレートをベースプレートとして使用し、次いでこのプレートの上に、もう１つのプラスチック層のためのプラスチックパレットを散布することも可能である。これにより、より正確に定義された境界面が層同士の間に生成され、両方の層にパレットを使用した場合、両方の層が混合されることはない。混合度合が低下することにより、特に、層厚をより薄くすることが可能になる。
【００２９】
標識板の個々のプラスチック層の層厚は、好ましくは１ｍｍ〜６ｍｍであり、さらに好ましくは２．５ｍｍ〜４．５ｍｍである。この場合、個々の層の層厚は、すべて同じでなくてもよい。例えば、第１プラスチック層を支持層として形成し、第１プラスチック層の上部に位置する第２プラスチック層よりも厚く形成して（例えば４ｍｍまたは５ｍｍ）、標識板全体に必要な安定性を付与することも可能である。その結果、絵文字を製造するために主に凹部が設けられ、したがって、それ自体の安定性は低い第２プラスチック層の層厚は、より薄くなってもよい（例えば２ｍｍ）。
【００３０】
特に、上述の形式の標識板は、ねじ、クリップなどの簡単に再び取外し可能な固定手段によって機械表面に固定するために十分な剛性を有している。スペーサの使用により、機械表面と標識板背面との間に十分な隙間を設けることができ、したがって、機械表面および標識板の背面は、標識板が機械に取り付けられている場合にも洗浄のためにアクセス可能であることが保証されている。
【００３１】
本発明のさらなる利点が、図面に基づいた好ましい実施例の以下の説明により明らかになる。
【図面の簡単な説明】
【００３２】
【図１】警告標識として形成された第１の標識板を示す図である。
【図２】図１のＡ−Ａ線に沿った標識板の断面図である。
【図３】禁止標識として形成された第２の標識板を示す図である。
【図４】図３のＢ−Ｂ線に沿った標識板の断面図である。
【発明を実施するための形態】
【００３３】
図１は、例示的に電圧警告標識として形成された標識板１０を示す。図２は、図１に示したＡ−Ａ線に沿った標識板１０の断面図を示し、わかりやすくするために、図面の平面の後方に位置する本体縁部は図示していない。
【００３４】
図２から明らかなように、標識板１０は、上側の第１プラスチック層１１と、下側の第２プラスチック層１２と、を備える。第２プラスチック層１２は、上面によって第１プラスチック層１１の下面に平面的に接触しており、事前の溶接（熱による接合）により分子レベルで結合されている。第１プラスチック層１１は第１色（斜線を引いていない領域、図１に示した実施例では典型的には黄色）を有し、第２プラスチック層１２は第２色（斜交平行線で示した領域、図１に示した実施例では典型的には黒色）を有している。
【００３５】
図２からわかるように、第１プラスチック層１１にはプラスチック層１１，１２の平面に平行に延在する凹部１３がフライス加工により設けられており、これらの凹部１３は、第１プラスチック層１１を通って第２プラスチック層１２の内部に入り込んでいる。これらの凹部１３により、表示されるべき文字またはシンボルに対応する凹部１３の境界縁部の延び具合に応じて、第１プラスチック層１１を貫通して第２プラスチック層１２の色を露出させ、文字またはシンボルを表すことができる。
【００３６】
図３は、標識板２０の例示的な第２実施形態を示し、電圧が印可された表面に触れることを禁止する禁止標識が例示的に示されている。
【００３７】
この禁止標識は、それぞれ色の異なる全部で４つのプラスシック層２１，２２，２３，２４を備える。図３に例示的に示した標識板は、典型的には、赤色（菱形の平行線で示した面、第１プラスチック層２１）と、黒色（緻密なメッシュの斜交平行線で示した面、第２プラスチック層２２）と、中間的な灰色（広いメッシュの斜交平行線で示した面、第３プラスチック層２３）と、白色（斜線を引いていない面、最下部の第４プラスチック層２４）と、を有する。
【００３８】
図３に見ることができる絵文字の視覚表示は、図３のＢ−Ｂ線に沿った断面図として図４にも示すように、異なる深さの異なる配色のプラスチック層に達する凹部２５（フライス加工部）を設けることにより得られ、凹部は、それぞれの箇所で色が見えることが望ましいプラスチック層までそれぞれ達している。
【００３９】
図４では、図２と同様に、図平面または断面の後方に位置する本体縁部は、わかりやすくするために図示されていない。
【００４０】
最後に、図５は、分子レベルで互いに結合された異なる色のプラスチック層を備える多層状のプラスチックプレートを製造する方法を極めて概略的に示す。まず、１つの色のプラスチック層１２がペレットの形態で型に注ぎ込まれるか、または、既に完成したプラスチックプレートが挿入される。次いで、この層またはプレート１２に、別の色の、好ましくは同じプラスチック材料の別の層１１が注ぎ込まれる。その後に層は押圧され、焼成される。すなわち、熱および圧力の作用により接合され、層１１，１２は境界面において分子レベルで互いに結合される。当然ながら、プレートの使用時に個々のステップを反対にしてもよい。この場合、プラスチック層１２が型に注ぎ込まれ、次いで層１１が上側の層として既に完成したプレートの形態で、注ぎ込まれた下側の層１２に載置される。
【符号の説明】
【００４１】
１０  標識板
１１  第１プラスチック層
１２  第２プラスチック層
１３  凹部
２０  標識板
２１  第１プラスチック層
２２  第２プラスチック層
２３  第３プラスチック層
２４  第４プラスチック層
２５  凹部
【図１】
2019148811.tif 000003
【図２】
2019148811.tif 000004
【図３】
2019148811.tif 000005
【図４】
2019148811.tif 000006
【図５】
2019148811.tif 000007
【手続補正書】
【提出日】令和1年5月13日(2019.5.13)
【手続補正１】
【補正対象書類名】特許請求の範囲
【補正対象項目名】全文
【補正方法】変更
【補正の内容】
【特許請求の範囲】
【請求項１】
食品加工業用の機械で使用するための標識板であって、
第１色の上側の第１プラスチック層と、
前記第１プラスチック層の下方に位置する第２色の少なくとも１つの第２プラスチック層と
を備え、
文字またはシンボルを表すために、前記第２プラスチック層まで、または、該第２プラスチック層内まで達する凹部が、材料除去によって前記上側の第１プラスチック層に設けられ、
前記第１プラスチック層と前記第２プラスチック層とは、付着促進中間層を使用することなく、熱により互いに結合され、分子レベルで互いに直接的に接合している
標識板。
【請求項２】
請求項１に記載の標識板であって、
前記凹部は、前記第１プラスチック層を貫通して、前記第２プラスチック層内にまで達している
標識板。
【請求項３】
請求項１に記載の標識板であって、
前記第１プラスチック層と前記第２プラスチック層は、食品用等級プラスチックから形成されている
標識板。
【請求項４】
請求項２または請求項３に記載の標識板であって、
前記第１プラスチック層および前記第２プラスチック層のうちの少なくとも一方は、ポリエステル（ＰＥ）から形成されている
標識板。
【請求項５】
請求項１に記載の標識板であって、
前記上側の第１プラスチック層の前記凹部は、切削による材料除去によって作製された
標識板。
【請求項６】
請求項１に記載の標識板であって、
前記第１プラスチック層および前記第２プラスチック層に加えて、第３プラスチック層が設けられており、
前記第３プラスチック層の色は、前記第１プラスチック層および前記第２プラスチック層の色とは異なり、
文字またはシンボルを表すための前記凹部は、前記第３プラスチック層まで達している
標識板。
【請求項７】
請求項６に記載の標識板であって、
前記凹部は、少なくとも部分的に前記第１プラスチック層および前記第２プラスチック層を貫通して、前記第３プラスチック層内に達している
標識板。
【請求項８】
第１色の上側の第１プラスチック層と、該第１プラスチック層の下方に位置する第２色の少なくとも１つの第２プラスチック層と、を備える請求項１に記載の標識板を製造する方法であって、
前記第１色を有する前記第１プラスチック層と、前記第２色を有する前記少なくとも１つの第２プラスチック層と、を、付着促進中間層を使用することなく、分子レベルで互いに直接的に接合するように互いに熱により結合する工程と、
文字またはシンボルを作製するために、材料除去によって、前記第１プラスチック層を貫通して少なくとも前記第２プラスチック層まで達する凹部を前記第１プラスチック層に設ける工程と
を備える方法。
【請求項９】
請求項８に記載の方法であって、
少なくとも１つの第３プラスチック層を前記第１プラスチック層および前記第２プラスチック層に結合する工程を備える
方法。
【請求項１０】
請求項８または請求項９に記載の方法であって、
ロールのテープ材料またはストリップ材料として、前記第１プラスチック層および前記第２プラスチック層を、熱の作用により平面的に互いに接合する工程を備える
方法。
【請求項１１】
請求項９に記載の方法であって、
前記第１プラスチック層と前記第２プラスチック層とを熱により結合するために、前記少なくとも１つの第２プラスチック層のうちの少なくとも１つを型内に散布し、次いで、熱および圧力の作用によって、前記少なくとも１つの第２プラスチック層を前記第１プラスチック層と共に焼成する工程を備える
方法。
【請求項１２】
請求項１に記載の標識板であって、
前記標識板は、前記パネルの裏面と加工面との間に隙間を維持する十分な剛性を有する
標識板。
【請求項１３】
請求項６に記載の標識板であって、
前記第１プラスチック層および前記第２プラスチック層は、前記パネルの裏面と加工面との間に隙間を維持する十分な剛性を有する標識板である
標識板。
【手続補正書】
【提出日】令和1年5月20日(2019.5.20)
【手続補正１】
【補正対象書類名】明細書
【補正対象項目名】００３２
【補正方法】変更
【補正の内容】
【００３２】
【図１】警告標識として形成された第１の標識板を示す図である。
【図２】図１のＡ−Ａ線に沿った標識板の断面図である。
【図３】禁止標識として形成された第２の標識板を示す図である。
【図４】図３のＢ−Ｂ線に沿った標識板の断面図である。
【図５】分子レベルで互いに結合された異なる色のプラスチック層を備える多層状のプラスチックプレートを製造する方法を極めて概略的に示す。